(57)【要約】      （修正有）【課題】通気性を有すると共に、サイズ調整の操作性に優れた帽子を提供する。【解決手段】スライドアジャスタ８を備えた帽子２であって、該スライドアジャスタは合成樹脂製のバンド１０とバックル２０からなり、バンド外表面に形成した鋸歯状の係合溝にバックルの係合爪を係合させ、該係合を解除するためのバックルの押圧部の高さはバックルの天井枠と同じかそれよりも低く設定されてなり、前記押圧部が帽子の内側を向くように前記バックルが前記天井枠を介してびん皮４に固定され、前記びん皮に固定される部分の天井枠が偏平な板から形成されてなり、前記バンドおよび／または前記バンドに連結された芯材がサイズ元（クラウン最下部）の内側（頭部と接触する面）に露出してなる。【選択図】図１
2013023783.tif 000002
【特許請求の範囲】
【請求項１】
スライドアジャスタを備えた帽子であって、
該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、
前記押圧部の高さは前記天井枠と同じかそれよりも低く設定されてなり、
前記押圧部が帽子の内側を向くように前記バックルが前記天井枠を介してびん皮に固定され、前記びん皮に固定される部分の天井枠が偏平な板から形成されてなり、
前記バンドおよび／または前記バンドに連結された芯材がサイズ元（クラウン最下部）の内側（頭部と接触する面）に露出してなることを特徴とする帽子。
【請求項２】
前記操作板の一端部に対向する天井枠が該操作板と反対方向水平に延伸してなる請求項１記載の帽子。
【請求項３】
前記押圧部に相当するびん皮にマークが記されてなる請求項１または２記載の帽子。
【請求項４】
前記押圧部に相当するびん皮に開口を有する請求項１または２記載の帽子。
【発明の詳細な説明】
【技術分野】
【０００１】
この発明は、サイズ調整機構を備えると共に、十分な通気性を有する帽子に関するものである。
【背景技術】
【０００２】
従来、サイズ調整が可能な帽子としては、アメリカンホック式のもの、面ファスナーによるもの等が知られている。
アメリカンホックは、７つ前後の穴を開けたベルトとホック付きのベルトを組合せ、穴に嵌める位置をずらすことでサイズ調整を行う。
面ファスナーを使用すれば、表生地と同じ生地でベルトを作成することができ、帽体の風合いを崩すことがない。しかしながら、面ファスナーは一般に雨水や水分に弱いことに加えて、埃等が付着し易く、接合強度が低下する場合がある。
【０００３】
特許文献１（実開昭５８−１６８５３６号公報）には、バンド片及びその係止具を、帽体とその内側の滑り材との間に介在させて外観の体裁をよくし、滑り材に軟質発砲体シートを芯材として内装し被り心地をよくすることができるようにしたフリーサイズ形帽子が開示されている。
しかしながら、特許文献１では係止具の帽体への取付けおよび係止を解除するためのストッパの操作性に配慮がされていない。したがって、係止を解除するためのストッパが帽体の生地に当たり、不用意に係止が解除される等の問題がある。
【０００４】
一方、通気性を有する帽子としては、帽体に通気孔を設けるもの、帽体の生地の一部または全部にメッシュ素材を用いるもの等が知られている。
帽体に通気孔を設ける方式は、直径１ｍｍ〜５ｍｍ程度の通気孔が帽体の適宜位置に数か所設けられるが、通気孔が小さいため清涼感を感じるのに十分な通気性を確保することはできなかった。また、帽体の生地の一部にメッシュ素材を用いた場合には、通気性を確保することはできるが、メッシュ素材を用いた部分において直接日光が当たるため、被着者は十分な清涼感を感じることができない。さらに、帽体に通気孔を設けたり、帽体の生地の一部にメッシュ素材を用いたりした場合は、外観上の体裁も良くない。
【先行技術文献】
【特許文献】
【０００５】
【特許文献１】実開昭５８−１６８５３６号公報
【発明の概要】
【発明が解決しようとする課題】
【０００６】
本発明は、通気性を有すると共に、サイズ調整の操作性に優れ、加えて外観上のデザインが極めて優れた帽子を提供することを目的とするものである。
【課題を解決するための手段】
【０００７】
本発明はスライドアジャスタを備えた帽子であって、該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、  前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、前記押圧部の高さは前記天井枠と同じかそれよりも低く設定されてなり、前記押圧部が帽体の内側を向くように前記バックルが前記天井枠を介してびん皮に固定され、前記びん皮に固定される部分の天井枠が偏平な板から形成されてなり、前記バンドおよび／または前記バンドに連結された芯材がサイズ元（クラウン最下部）の内側（頭部と接触する面）に露出してなることを特徴とするものである。
【０００８】
前記操作板の一端部に対向する天井枠が該操作板と反対方向水平に延伸してなることが好ましい。
【０００９】
前記押圧部に相当するびん皮にマークが記されてなることが好ましい。
前記押圧部に相当するびん皮に開口を有することが好ましい。
【発明の効果】
【００１０】
本発明に係るスライドアジャスタを備えた帽子は、外観にスライドアジャスタ等のサイズ調整機構が一切現れないので、帽子等の服飾品をデザインする上で自由度が飛躍的に高まると共に、高級感を付加することができる。
スライドアジャスタを軽量でシンプルな構成としたので、サイズ調整を迅速、容易に行うことができる。
バックルが天井枠を介して帽体の内側に固定されるので、スライドアジャスタを帽子の内側に取付け易くなり、手間とコストをかけることなく量産が可能となる。
バンドおよび／またはバンドに連結された芯材がサイズ元の内側に露出されるので、頭部と帽体の間に隙間が形成され、該隙間から外気が流入するため、本発明に係る帽子の被着者は十分な清涼感を感じることができる。
【図面の簡単な説明】
【００１１】
【図１】本発明の要部であるスライドアジャスタ８を透視して描いた帽子を左前部上方から見た斜視図である。
【図２】スライドアジャスタ８の平面図（図２（１））と、その縦断側面図（図２（２）、（３））である。
【図３】スライドアジャスタ８が固定されたびん皮４の部分平面図（図３（１））、とマークが記されたびん皮４の部分平面図（図３（２））と開口を有するびん皮４の部分平面図（図３（３））である。
【図４】本発明に係るスライドアジャスタを備えた帽子の底面図である。
【発明を実施するための形態】
【００１２】
以下、本発明に係るスライドアジャスタを備えた帽子の実施形態を、図面に基づいて説明する。
図１は、本発明の要部であるスライドアジャスタを透視して描いた帽子を左前部上方から見た斜視図であり、帽子を構成する帽体２、サイズ元（「クラウン最下部」、「頭周り」とも呼ばれる。）３、びん皮（すべり、サイズベルトとも云う。）４が示されている。
【００１３】
帽子の内部に設けられるスライドアジャスタ８については図２を用いて後述するように、バンド１０とバックル２０とからなり、バックル２０はびん皮４と帽体２の間に固定される。より具体的には、バックル２０は、押圧部３２が帽体２の内側を向くように天井枠２２を介してびん皮４に固定される。
したがって、帽子の表側に縫い目等、バックル２０のびん皮４への固定手段が一切現れず、すっきりとした外観デザインとなる。
当該固定手段としては、通常、縫製によることが好ましいが、これに限らず、カシメ、両面テープを用いた固定手段を採用することもできる。
【００１４】
また、バンド１０はびん皮４に設けられたスリット５からサイズ元３の内側（頭部と接触する面）に露出している。なお、バンド１０およびバックル２０は、サイズ元３の円周方向のいずれの位置にも設けることができるので、後述する係合解除用の押圧部３２もサイズ元３の任意の位置に設けることができる。
【００１５】
次に、図２を用いてスライドアジャスタを説明する。
図２にはバンド１０とバックル２０からなるスライドアジャスタが示されており、図２（１）はその平面図、図２（２）は図２（１）の縦断側面図である。
【００１６】
これらの図において、所要の長さ、幅、厚みを有するバンド１０の外表面には、鋸歯状の係合溝１２が形成されている。
【００１７】
バックル２０は、底板２１、これに対向する天井枠２２、および底板２１と天井枠２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。
【００１８】
バックル本体２４を構成する天井枠２２を偏平な板によって形成することにより、バックル２０をびん皮４に取付け易くしている。これにより、手間とコストをかけることなく製品を量産することができる。
図２において押圧部３２は片手の指先で押し易いように小円形に形成されているが、これに限らず角形状としても良い。
【００１９】
図２において符号２２ａは、操作板３０の一端部と対向する天井枠２２であって、操作板３０と反対方向に水平に延伸して形成されている。天井枠２２ａによって、バックル２０はサイズ元３に確実に固定されると共に、バンド１０のスライド時にその前端部が天井枠２２ａの下面（底板２１との対向面）に沿って進入するので、スライドガイドや鞘としての役割も果たす。
天井枠２２ａの延伸長をバンド１０と同程度の長さとすれば、スライドガイドや鞘としての長さは十分である。
他方、天井枠２２を介してバックルをびん皮４に固定する目的であれば、天井枠２２の任意の部分を偏平な板によって形成すれば十分である。
【００２０】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。押圧部３２の高さは天井枠２２と同じかそれよりも低いものとされるため、バックル２０をびん皮４に固定した場合において帽子を被着したときでも、頭部が押圧部３２に当たって不用意に係合が解除されるのを防ぐことができる。
【００２１】
操作板３０の長手方向の中間地点には、連結軸３５が形成され、この連結軸３５は両側板２３、２３の上部内壁に連結されている。連結軸３５の断面形状は、円形、楕円形、その他種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００２２】
本発明の操作板３０において、押圧部３２と連結軸３５間の横幅は、操作板３０の揺動と強度を満たす限りにおいてなるべく狭く設定される。
【００２３】
また図示しないが、操作板３０の一端部（係合爪３１の設けられた側）を、対向する両側板２３、２３の内壁に連結することにより、押圧部３２を押し下げた後、押圧部３２から指を離した時点で操作板３０が元の水平状態に復元し易くすることができる。換言すれば、操作板３０の揺動動作に対するダンパーとしての機能を有するものである。
なお、操作板３０と側板２３との連結は、連結軸３５を挟んで押圧部３２の反対側であれば良く、前記一端部以外である操作板３０の側縁部でも良いし、側板２３に代えて天井枠２２に連結しても良い。
【００２４】
バンド１０とバックル２０は、可撓性を有する合成樹脂により成型することができる。バンド１０を合成樹脂製とすることにより、バンド１０がびん皮４とサイズ元３の間をスムーズに挿通するようになる。即ち、合成樹脂はびん皮４やサイズ元３の生地（布、織物）よりも剛性が高いので、バンド１０の挿通が容易となる。
【００２５】
また、バックル２０は操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２６】
続いて、図１および図４に示す帽子の作用を説明する。
帽子サイズを調整するには、一方の手の指先で、サイズ元３の内側に露出したバンド１０を直接持ち、他方の手の指先で内側にスライドアジャスタ８が設けられているサイズ元３（またはびん皮４）を持ち、両手を近づければ良い。
【００２７】
この操作によって、帽子のサイズを小さく調整することができるが、両手を引離しても、後述するスライドアジャスタ８の作用によって、帽子のサイズが大きくなることはない。帽子のサイズを大きくするには、スライドアジャスタ８の押圧部３２を指先等で押圧すれば良い。
【００２８】
本実施形態において、スライドアジャスタ８を構成するバンド１０はスリット５を介してサイズ元３の内側（頭部と接触する面）に露出している。
これにより、帽子を被着した状態において、頭部にはバンド１０が接触するがびん皮４は接触しないで、頭部とびん皮４の間に隙間が形成されるため、帽子の被着者は涼感を感じ易くなる。また、頭髪との接触部分も限定された領域となるので、当該帽子を被着しても頭髪の乱れを大幅に低減させることができる。
同様の効果は、バンド１０の位置する部分だけびん皮４を設けないことによっても達成することができる。
【００２９】
本実施形態において、バンド１０をサイズ元３の内側に露出するようにしたが、バンド１０に芯材を連結し、バンド１０および／または芯材をサイズ元３の内側に露出するようにしても良い。
帽子の周囲長に応じて、適宜必要な長さの芯材をバンド１０に連結することができるようにすることで、スライドアジャスタ８の製造コストが廉価となる。
バンド１０および芯材の連結は雄部材と雌部材により連結することが好ましいが、当該連結手段に特に制限はなく、縫製により連結することも可能である。
【００３０】
図３は、スライドアジャスタ８が固定されたびん皮４の部分平面図である。
図３（１）の実施形態では、スライドアジャスタ８は帽体２の内側に完全に隠れており、外観に現れることはない。したがって、帽子の内側がすっきりとしたデザインとなる。
図３（２）の実施形態では、スライドアジャスタ８の押圧部３２が隠れている部分に相当するびん皮４にマーク４０が記されている。これにより、押圧部３２の位置が一目で分かるので、バンド１０とバックル２０の係合解除操作がスムーズになる。
図３（３）の実施形態では、スライドアジャスタ８の押圧部３２に相当するびん皮に開口４１が設けられており、開口４１から押圧部３２が外観に現れた状態が示されている。本実施形態もバンド１０とバックル２０の係合解除操作がスムーズになるという効果がある。
【００３１】
前記図１および図４に示す実施形態では、キャップタイプの帽子について説明したが、本発明に係るスライドアジャスタを備えた帽子はハンチングなどにも適用することが可能である。
【００３２】
次に、上記スライドアジャスタの作用を説明する。図２（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００３３】
バンド１０を押圧部３２側（図２（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図２（２）に示すように、係合爪３１が所定の係合溝１２と噛み合って係止しているので、バンド１０はバックル２０に対して進出自在であるが、後退不能である。
【００３４】
他方、バックル２０からバンド１０を後退させたり、引き抜いたりするには、操作板２０の押圧部３２を軽く指で押し下げれば、図２（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００３５】
本発明において、スライドアジャスタ８は上記の構造を有するものに限らず、バンドに係合溝を設け、この溝にバックルのフックを弾性的に係合し、バンドに対して略垂直方向に作動するプッシュボタンにより随時、この係止状態を解放可能とするようなバックルとバンドとからなるスライドアジャスタであれば、いずれの構造のものでも良い。
【産業上の利用可能性】
【００３６】
以上、スライドアジャスタを備える帽子に係る実施形態について説明したが、本発明に係る帽子は、キャップだけではなく、ハンチング、キャスケットなど、幅広く適用することができる。
【符号の説明】
【００３７】
２       帽体
３       サイズ元
４       びん皮
５       スリット
８       スライドアジャスタ
１０     バンド
１２     係合溝
２０    バックル
２２    天井枠
２２ａ  延伸された天井枠
２４    バックル本体
３０    操作板
３１    係合爪
３２    押圧部
４０    開口
４１    マーク
【図１】
2013023783.tif 000003
【図２】
2013023783.tif 000004
【図３】
2013023783.tif 000005
【図４】
2013023783.tif 000006